(57)【要約】【課題】近距離加入者に対し、低消費電力、低電源容量の加入者線インタフェース装置と方法を提供する。【解決手段】給電回路４の近距離加入者給電用電源端子６と外部直流電源２１間に、直流電圧可変型帰還ＤＣ−ＤＣコンバータ電源１９を備え、近距離加入者のオフフック時、直流電圧可変型帰還ＤＣ−ＤＣコンバータ電源１９は、外部直流電源電圧（ＶＢＢ）に追従した直流電圧（ＶＳＢ）を発生する。直流電圧可変型帰還ＤＣ−ＤＣコンバータ電源１９は、近距離加入者のオフフック時に、前記近距離加入者に流れる電流をスイッチング素子１５でスイッチングさせ、前記スイッチング動作による変換電力を前記直流電源２１に帰還させる。【選択図】  図１
2010288127.tif 000002
【特許請求の範囲】
【請求項１】
近距離加入者と遠距離加入者のそれぞれに対応した給電回路が電源を切替えるスイッチを備え、
前記近距離加入者に対応した前記給電回路の近距離加入者給電用電源端子と、遠距離加入者用電源に用いられる直流電源の端子の間に帰還ＤＣ−ＤＣコンバータ電源を備え、
前記近距離加入者のオフフック時に、前記帰還ＤＣ−ＤＣコンバータ電源は、前記直流電源電圧に追従した直流電圧を発生する、ことを特徴とする加入者線インタフェース装置。
【請求項２】
前記帰還ＤＣ−ＤＣコンバータ電源によって生成される、前記近距離加入者給電用電源端子と前記直流電源端子の間の電圧（ＶＳＢ）は、前記直流電源の電圧（ＶＢＢ）が予め定められた所定値以下では、前記直流電源電圧に追従して変化する、ことを特徴とする請求項１記載の加入者線インタフェース装置。
【請求項３】
前記近距離加入者の給電回路の消費電力は、前記直流電源電圧の正極端子と負極端子の端子間電圧（−ＶＢＢ）から、前記電圧（ＶＳＢ）と前記近距離加入者端末両端に接続する加入者線間電圧（Ｖｔｒ）を差し引いた電圧（−ＶＢＢ−ＶＳＢ−Ｖｔｒ）に、オフフック時に前記近距離加入者端末に流れる電流（Ｉｓ）を乗じた値とされる、ことを特徴とする請求項１記載の加入者線インタフェース装置。
【請求項４】
前記帰還ＤＣ−ＤＣコンバータ電源は、前記近距離加入者のオフフック時に、前記近距離加入者に流れる電流をスイッチング素子でスイッチングさせ、前記スイッチング動作による変換電力を前記直流電源に帰還させる、ことを特徴とする請求項１乃至３のいずれか１項に記載の加入者線インタフェース装置。
【請求項５】
前記帰還ＤＣ−ＤＣコンバータ電源が、
前記直流電源の正極端子と負極端子の端子間電圧（−ＶＢＢ）を分圧した電圧を検出する直流電源電圧検出回路と、
前記直流電源電圧検出回路で検出された電圧（ＶＰ）が所定の基準電圧（ＶＲＥＦ）よりも大のとき、前記直流電源電圧検出回路で検出された電圧（ＶＰ）と、前記近距離加入者給電用電源端子と前記直流電源の負極端子間の電圧（ＶＳＢ）の分圧電圧を、それぞれ第１、第２の入力端子に差動で受ける入力電圧検出回路と、
を備え、前記直流電源電圧検出回路で検出された電圧（ＶＰ）が前記所定の基準電圧（ＶＲＥＦ）以下のとき、前記入力電圧検出回路の前記第１の入力端子には、前記ＶＰとして前記基準電圧（ＶＲＥＦ）が供給される、ことを特徴とする請求項１乃至４のいずれか１項に記載の加入者線インタフェース装置。
【請求項６】
前記入力電圧検出回路が、前記近距離加入者給電用電源端子と前記直流電源の負極端子間の電圧（ＶＳＢ）の分圧電圧を反転入力端子に受け、前記直流電源電圧検出回路の出力電圧（ＶＰ）を非反転入力端子に受け、出力端子と前記反転入力端子間に帰還抵抗が接続された第１の差動増幅器を備え、
前記第１の差動増幅器の前記非反転入力端子と前記直流電源電圧検出回路の出力との接続点は、抵抗を介して、前記基準電圧（ＶＲＥＦ）が供給される基準電圧端子に接続される、ことを特徴とする請求項５記載の加入者線インタフェース装置。
【請求項７】
前記直流電源電圧検出回路が、非反転入力端子に前記直流電源電圧を分圧した電圧を受け、出力端子が整流素子を介して反転入力端子に接続された第２の差動増幅器を備えている、ことを特徴とする請求項５又は６記載の加入者線インタフェース装置。
【請求項８】
前記帰還ＤＣ−ＤＣコンバータ電源が、
前記入力電圧検出回路の出力電圧と前記基準電圧とを比較して誤差信号を出力する誤差検出回路と、
前記誤差増幅器が生成する誤差信号の積分値に応じたデューティ比を有するＰＷＭ（パルス幅変調）信号を生成するＰＷＭ（パルス幅変調：Ｐｕｌｓｅ  Ｗｉｄｔｈ  Ｍｏｄｕｌａｔｉｏｎ）制御部と、
スイッチング素子と、
前記ＰＷＭ制御部で生成されたＰＷＭ信号に従って前記スイッチング素子を駆動する駆動回路と、
前記スイッチング素子でスイッチングされた電流を、前記直流電源側に帰還させるトランスと、
前記トランスの二次巻線側に設けられた整流素子及びフィルタ回路と、
を備え、
前記トランスの二次巻線の前記フィルタ回路の両端が、それぞれ、前記直流電源の正極、負極の端子に接続されている、ことを特徴とする請求項５乃至７のいずれか１項に記載の加入者線インタフェース装置。
【請求項９】
近距離加入者と遠距離加入者のオフフックで加入者線インタフェース装置の給電回路の電源を切替える加入者線インタフェース装置の給電方法であって、
前記給電回路の近距離加入者給電用電源端子と、遠距離加入者給電用の直流電源の端子の間に帰還ＤＣ−ＤＣコンバータ電源を設け、
前記近距離加入者のオフフック時に、前記帰還ＤＣ−ＤＣコンバータ電源は、前記直流電源電圧に追従した直流電圧を発生する、ことを特徴とする加入者線インタフェース装置の給電方法。
【請求項１０】
前記帰還ＤＣ−ＤＣコンバータ電源によって生成される、前記近距離加入者給電用電源端子と前記直流電源端子の間の電圧（ＶＳＢ）は、前記直流電源の電圧（ＶＢＢ）が予め定められた所定値以下では、前記直流電源電圧に追従して変化する、ことを特徴とする請求項９記載の加入者線インタフェース装置の給電方法。
【請求項１１】
前記近距離加入者の給電回路の消費電力は、前記直流電源電圧の正極端子と負極端子の端子間電圧（−ＶＢＢ）から、前記電圧（ＶＳＢ）と前記近距離加入者端末両端に接続する加入者線間電圧（Ｖｔｒ）を差し引いた電圧（−ＶＢＢ−ＶＳＢ−Ｖｔｒ）に、オフフック時に前記近距離加入者端末に流れる電流（Ｉｓ）を乗じた値とされる、ことを特徴とする請求項９又は１０記載の加入者線インタフェース装置の給電方法。
【請求項１２】
前記帰還ＤＣ−ＤＣコンバータ電源は、前記近距離加入者のオフフック時に、前記近距離加入者に流れる電流をスイッチング素子でスイッチングさせ、前記スイッチング動作による変換電力をトランスの二次側から前記直流電源に帰還させる、ことを特徴とする請求項９乃至１１のいずれか１項に記載の加入者線インタフェース装置の給電方法。
【発明の詳細な説明】
【技術分野】
【０００１】
本発明は、加入者線インタフェース装置に関し、特に、アナログ電話加入者の加入者線路長によってアナログ電話機に直流電流を給電する給電回路の電源を切替える加入者線インタフェース装置と給電方法に関する。
【背景技術】
【０００２】
アナログ電話加入者の加入者線路長によってアナログ電話機に直流電流を給電する給電回路の電源を切替える加入者線インタフェース装置として、例えば特許文献１の記載が参照される。図３は、この種の加入者線インタフェース装置の典型的な構成（関連技術）の一例を示す図であり、本発明者により作図されたものである。
【０００３】
図３に示すように、この加入者線インタフェース装置の電源構成は、遠距離加入者給電用の外部直流電源（高電圧を出力）２１と、近距離加入者給電用のＤＣ−ＤＣコンバータ電源２２（低電圧出力）とから構成されている。近距離加入者給電用電源は、遠距離加入者給電用の電源としても使用されている外部直流電源２１を入力とし、直流電圧を出力するＤＣ−ＤＣコンバータ電源２２から構成される。遠距離加入者給電用電源は、加入者線インタフェース装置２０の電源として、加入者線インタフェース装置２０外部に設けられた、外部直流電源２１から供給される。
【０００４】
一般的には、外部直流電源２１は、交換機の局電源であり、電圧変動範囲が広く、例えば−４２Ｖ〜−５８Ｖの高電圧である。
【０００５】
給電回路４はアナログ電話機１に接続される加入者線２、３にそれぞれ接続される二つの直流電流供給回路４１と、給電回路４の電源を切り替えるスイッチ（切替スイッチ）５を備えている。図３において、６は給電回路４の近距離加入者給電用電源端子、７は給電回路４の遠距離加入者給電用電源端子である。また、直流電流ＩＬは遠近距離加入者のアナログ電話機１に流れる直流ループ電流、Ｉｓは近距離加入者のアナログ電話機１に流れる直流ループ電流、Ｉｐは外部直流電源２１からＤＣ−ＤＣコンバータ電源２２に流れる電流を表している。図３に示す例では、近距離加入者のアナログ電話機１がオフフックし、近距離加入者の給電回路４のスイッチ５は近距離加入者給電用電源端子６側に切り替えられ、ＤＣ−ＤＣコンバータ電源２２からの直流電圧が近距離加入者に供給される。
【０００６】
図３に示した構成により、近距離加入者は、低電圧のＤＣ−ＤＣコンバータ電源２２から給電できるため、近距離加入者の通話（オフフック）中の消費電力を減少することができる。
【０００７】
なお、後述される帰還型のＤＣ−ＤＣコンバータ電源に関して、例えば特許文献２の記載が参照される。特許文献２には、直流電源から負荷に電圧をスイッチング・トランジスタによるスイッチング動作によってドロップさせ、そのスイッチング動作による変換電力をトランスの二次側から直流電源に帰還させるスイッチングＤＣ−ＤＣコンバータを有する電源装置の構成が開示されている。この電源装置においては、入力側コンデンサを有するスイッチングＤＣ−ＤＣコンバータと直列に、ドロップ電圧を制御するトランジスタを有するシリーズレギュレータを設ける構成とされている。
【先行技術文献】
【特許文献】
【０００８】
【特許文献１】特開２００３−１５８５９０号公報
【特許文献２】特開平１０−２９０５６５号公報
【発明の概要】
【発明が解決しようとする課題】
【０００９】
以下に本発明による関連技術の分析を与える。
【００１０】
図３のような電源構成においては、近距離加入者の給電を全て近距離加入者給電用電源（ＤＣ−ＤＣコンバータ電源２２）から供給することが必要とされている。このため、遠距離加入者給電用電源である外部直流電源２１とは別に、電源容量の大きな近距離加入者給電用電源（ＤＣ−ＤＣコンバータ電源２２）が必要となる。
【００１１】
図３において、ＤＣ−ＤＣコンバータ電源２２の出力電圧（Ｖｓ）を−３０Ｖとし、加入者がオフフックすると、アナログ電話機１に直流電流Ｉｓが５０ｍＡ流れるものとした場合のＤＣ−ＤＣコンバータ電源２２の電源容量Ｐは、次式（１）で表される（単位はワット）。
【００１２】
2010288127.tif 000003
ここで、ｎは近距離加入者のオフフック回線数である。
【００１３】
ＤＣ−ＤＣコンバータ電源２２は、複数の近距離加入者に使用されるため、大きな電源容量が必要とされる。
【００１４】
また１近距離加入者の給電回路４の消費電力Ｐｃは次式（２）で表される。
【００１５】
2010288127.tif 000004
ここで、Ｖｔｒは加入者線２、３間の電圧である。
【００１６】
したがって、本発明の目的は、近距離加入者給電用電源の電源容量の低減を可能とする加入者線インタフェース装置と給電方法を提供することにある。
【００１７】
本発明は、上記目的を達成するとともに、加入者線インタフェース装置外付の外部直流電源の電源容量の低減も可能とする加入者線インタフェース装置と給電方法を提供することもその目的とする。
【００１８】
本発明は、上記目的を達成することで、低消費電力化、低電源容量化を実現し、小型化を図る加入者線インタフェース装置と給電方法を提供することもその目的の１つとしている。
【課題を解決するための手段】
【００１９】
本発明によれば、近距離加入者と遠距離加入者のそれぞれに対応した給電回路が電源を切替えるスイッチを備え、前記近距離加入者に対応した前記給電回路の近距離加入者給電用電源端子と、遠距離加入者用電源に用いられる直流電源の端子の間に帰還ＤＣ−ＤＣコンバータ電源を備え、前記近距離加入者のオフフック時に、前記帰還ＤＣ−ＤＣコンバータ電源は、前記直流電源電圧に追従した直流電圧を発生する、加入者線インタフェース装置が提供される。
【００２０】
本発明によれば、近距離加入者と遠距離加入者のオフフックで加入者線インタフェース装置の給電回路の電源を切替える加入者線インタフェース装置の給電方法であって、給電回路の近距離加入者給電用電源端子と、遠距離加入者給電用の直流電源端子の間に帰還ＤＣ−ＤＣコンバータ電源を備え、前記近距離加入者のオフフック時に、前記帰還ＤＣ−ＤＣコンバータ電源は、前記直流電源電圧に追従した直流電圧を発生する、ことを特徴とする加入者線インタフェース装置の給電方法が提供される。
【発明の効果】
【００２１】
本発明によれば、近距離加入者給電用電源端子と遠距離加入者給電用電源端子間に直流電圧可変型帰還ＤＣ−ＤＣコンバータ電源を設けることにより、近距離加入者給電用電源の電源容量を低減することができる。さらに、加入者線インタフェース装置外部に設けられる外部直流電源の電源容量を低減することができる。このため、本発明によれば、低消費電力化、低電源容量化、小型化を図る加入者線インタフェース装置を実現することができる。
【図面の簡単な説明】
【００２２】
【図１】本発明の一実施形態の構成を示す図である。
【図２】近距離加入者給電用電源端子と外部直流電源間の直流電圧ＶＳＢと外部直流電源電圧との関係を示す一例である。
【図３】関連技術の構成を示す図である。
【発明を実施するための形態】
【００２３】
次に、本発明の実施の形態について図面を参照して詳細に説明する。図１は、本発明の一実施形態の構成を示す図である。図１を参照すると、本発明の実施形態においては、近距離加入者の給電回路４の近距離加入者給電用電源端子６と、加入者インタフェース装置外部の直流電源２１（遠距離加入者給電用電源）の端子（負極端子）間に、直流電圧を可変に生成し、スイッチング動作による変換電力をトランスの二次側から外部直流電源２１に帰還させる直流電圧可変型帰還ＤＣ−ＤＣコンバータ電源１９（単に、帰還ＤＣ−ＤＣコンバータ電源ともいう）を備えている。外部直流電源２１の正極端子（グランド（ＧＮＤ）電位）は、近距離加入者の給電回路４の直流電流供給回路４１の正極端子に接続され、近距離加入者の給電回路４の直流電流供給回路４１の負極端子は、スイッチ５を介して近距離加入者給電用電源端子６側に接続されており、近距離加入者給電用電源端子６は、直流電圧可変型帰還ＤＣ−ＤＣコンバータ電源１９の入力の一端に接続され、直流電圧可変型帰還ＤＣ−ＤＣコンバータ電源１９の出力（トランス二次側巻線）の一端は外部直流電源２１の正極端子に接続され、直流電圧可変型帰還ＤＣ−ＤＣコンバータ電源１９の入力の他端及び出力の他端は外部直流電源２１の負極端子に接続されている。
【００２４】
直流電圧可変型帰還ＤＣ−ＤＣコンバータ電源１９は、第１のフィルタ８と、外部直流電源電圧検出回路９と、入力電圧検出回路１０と、入力電圧検出回路１０での電圧検出出力と基準電圧１１（ＶＲＥＦ）を入力として誤差信号を生成する誤差増幅器１２と、誤差増幅器１２が生成する誤差信号の積分値に応じたデューティ比を有するパルス幅変調（ＰＷＭ）信号を生成するＰＷＭ（Ｐｕｌｓｅ  Ｗｉｄｔｈ  Ｍｏｄｕｌａｔｉｏｎ）制御部１３と、ＰＷＭ制御部１３で生成されたＰＷＭ信号に従って、スイッチング素子（ＭＯＳＦＥＴ）１５を駆動する駆動回路１４と、スイッチング素子１５でスイッチングされた電流を外部直流電源２１側に帰還させるトランス１６と、トランス１６の二次側のダイオード１７（整流素子）と、第２のフィルタ１８（平滑回路）を備えている。
【００２５】
第１のフィルタ８は、近距離加入者の給電回路４の近距離加入者給電用電源端子６と外部直流電源２１の負極端子間に並列接続された二つのキャパシタとインダクタからなるＬＣフィルタ回路からなり低域を通過させる。
【００２６】
外部直流電源電圧検出回路９は、外部直流電源２１に一端が接続された定電圧回路（ツェナーダイオード（端子間電圧Ｖｚ））と、定電圧回路の他端と外部直流電源２１の負極間に直列に接続された抵抗Ｒ４、Ｒ５と、抵抗Ｒ４、Ｒ５の接続点に非反転入力端子（＋）が接続され、出力端子にダイオードＤ１のアノードが接続され、ダイオードＤ１のカソードが反転入力端子（−）に接続されたオペアンプ（差動増幅回路）ＯＰ２を備えている。オペアンプ（差動増幅回路）ＯＰ２は、非反転増幅負帰還回路（ボルテージフォロワ）構成とされ、その出力電流は、ダイオードＤ１の順方向にしか流れず、半波整流回路として機能する。
【００２７】
入力電圧検出回路１０は、給電回路４の近距離加入者給電用電源端子６と外部直流電源２１の負極間の電圧（ＶＳＢ）を分圧する抵抗Ｒ１、Ｒ２と、抵抗Ｒ１、Ｒ２の分圧電圧を反転入力端子（−）に受け、外部直流電源電圧検出回路９の出力電圧ＶＰを非反転入力端子（＋）に受け、出力端子と反転入力端子（−）間に帰還抵抗Ｒ３が接続されたオペアンプ（差動増幅回路）ＯＰ１を備えている。オペアンプ（差動増幅回路）ＯＰ１の非反転入力端子（＋）と外部直流電源電圧検出回路９の出力との接続点は抵抗Ｒ６を介して基準電圧端子ＶＲＥＦに接続されている。
【００２８】
外部直流電源電圧検出回路９の出力電圧ＶＰが基準電圧ＶＲＥＦより大の場合、オペアンプ（差動増幅回路）ＯＰ２は、その出力に接続されるダイオードＤ１に電流（順方向電流）が流れるため、ボルテージフォロワとして機能し、ＶＰには、外部直流電源２１の電源電圧からツェナー電圧Ｖｚを差し引いた電圧（−ＶＢＢ−Ｖｚ）を、抵抗Ｒ４、Ｒ５で分圧した電圧が出力される。ここで、外部直流電源電圧検出回路９の出力電圧（ＶＰ）が基準電圧（ＶＲＥＦ）１１以下の場合、ダイオードＤ１に順方向電流は流れず、ＶＰはＶＲＥＦと等電位とされ、オペアンプ（差動増幅回路）ＯＰ１は、抵抗Ｒ１、Ｒ２の分圧電圧と基準電圧（ＶＲＥＦ）１１の差電圧を差動増幅する。
【００２９】
誤差増幅器１２は、入力電圧検出回路１０のオペアンプ（差動増幅回路）ＯＰ１の出力電圧と基準電圧（ＶＲＥＦ）１１とを入力して誤差信号を出力し、ＰＷＭ制御部１３、駆動回路１４、スイッチング素子１５を介して、入力電圧検出回路１０のオペアンプ（差動増幅回路）ＯＰ１の出力電圧と基準電圧（ＶＲＥＦ）１１の差電圧（誤差信号）が少なくなる（０となる）ように、帰還制御が行なわれる。
【００３０】
なお、直流電圧可変型帰還ＤＣ−ＤＣコンバータ電源１９における、外部直流電源電圧検出回路９と、入力電圧検出回路１０と、誤差増幅器１２と、ＰＷＭ制御部１３と、駆動回路１４の電源電圧は、加入者線インタフェース装置２０の電源を供給する外部直流電源２１から供給される。
【００３１】
次に、本実施形態の動作を説明する。以下では、近距離加入者のアナログ電話機１がオフフックされる場合について説明する。なお、遠距離加入者のアナログ電話機１がオフフックされる場合、遠距離加入者の給電回路４には、外部直流電源２１から給電される。
【００３２】
近距離加入者のアナログ電話機１がオフフックされると、近距離加入者給電用電源端子６に直流給電電流Ｉｓが流れる。この時、直流電圧可変型帰還ＤＣ−ＤＣコンバータ電源１９によって生成される近距離加入者給電用電源端子６と外部直流電源２１間の電圧ＶＳＢは次式（３）で表される。
【００３３】
2010288127.tif 000005
【００３４】
ここで、Ｒ１、Ｒ２、Ｒ３は入力電圧検出回路１０の抵抗値、
ＶＲＥＦは誤差増幅器１２の基準電圧、
ＶＰは入力電圧検出回路１０のオペアンプＯＰ１のプラス端子（非反転入力端子）の入力電圧である。
【００３５】
上記式（３）は、オペアンプＯＰ１の反転入力端子（−）の電圧が非反転入力端子（＋）の電圧ＶＰと等しく、誤差増幅器１２に入力されるオペアンプＯＰ１の出力電圧が基準電圧（ＶＲＥＦ）１１に等しいものとし、抵抗Ｒ１、Ｒ２の両端間の電圧をＶＳＢ（外部直流電源２１の負極端子電位を基準）とし、抵抗Ｒ１、Ｒ２、Ｒ３にそれぞれ流れる電流Ｉ１、Ｉ２、Ｉ３に関して、
2010288127.tif 000006
が
2010288127.tif 000007
であることから、
2010288127.tif 000008
が成り立ち、
2010288127.tif 000009
となり、Ｒ１を両辺に乗じてＶＳＢに関する式（３）が得られる。
【００３６】
ＶＰが外部直流電源２１の電圧に追従しない領域では、
2010288127.tif 000010
となる。
【００３７】
外部直流電源２１の電圧に追従する領域では、
2010288127.tif 000011
となり、ＶＰは−ＶＢＢに比例する。
【００３８】
ここで、
Ｒ４、Ｒ５は外部直流電源電圧検出回路９の抵抗値、
ＶＢＢは外部直流電源２１の電圧、
Ｖｚは外部直流電源電圧検出回路９の定電圧回路の電圧（ツェナーダイオードやシャントレギュレータ）である。
【００３９】
１近距離加入者の給電回路４の消費電力Ｐｃは次式（６）で示される。
2010288127.tif 000012
【００４０】
ここで、Ｖｔｒは、加入者線２、３間の電圧、Ｉｓは近距離加入者のアナログ電話機１に流れる直流ループ電流である。すなわち、外部直流電源電圧の正極端子と負極端子の端子間電圧（−ＶＢＢ）から、ＶＳＢと加入者線間電圧Ｖｔｒを差し引いた電圧（−ＶＢＢ−ＶＳＢ−Ｖｔｒ）が給電回路４に印加され、オフフック時に流れる電流Ｉｓを乗じた値が、近距離加入者の給電回路４の消費電力Ｐｃとなる。
【００４１】
式（６）から、ＶＳＢが一定電圧の場合、外部直流電源２１の電圧ＶＢＢが変動すると、消費電力Ｐｃも変動し、外部直流電源２１の電圧ＶＢＢが高い程、給電回路４の消費電力Ｐｃが大きくなる。
【００４２】
そこで、本実施形態では、この消費電力Ｐｃを少なくするために、直流電圧可変型帰還ＤＣ−ＤＣコンバータ電源１９において、外部直流電源２１の電圧（−ＶＢＢ）が高い値の領域で、ＶＳＢがＶＢＢに追従するような可変直流電圧を生成している。
【００４３】
外部直流電源２１の電圧ＶＢＢが−４２Ｖ〜−５８Ｖで変動した時のＶＳＢの電圧特性の一例を図２に示す。図２に示すように、外部直流電源２１の電圧ＶＢＢが−４８Ｖ以下になると（−ＶＢＢが４８Ｖ以上）、ＶＳＢの電圧は電圧ＶＢＢに追従して変化する。ＶＢＢが−４８Ｖ以上の領域では、ＶＳＢは一定とされる。このＶＳＢは一定値は、式（３）において、ＶＰ＝ＶＲＥＦとし、抵抗Ｒ１、Ｒ２、Ｒ３の抵抗値を代入することで求められる。特に制限されないが、図２の例では、ＶＳＢの一定値は１１Ｖを若干越えた電圧とされる。
【００４４】
直流電圧可変型帰還ＤＣ−ＤＣコンバータ電源１９における帰還構成としては、外部直流電源２１から負荷（近距離加入者の給電回路４）に電圧（−ＶＢＢ）をスイッチング素子１５によるスイッチング動作によってドロップして供給し（−ＶＢＢ−ＶＳＢ）、そのスイッチング動作による変換電力をトランス１６の二次側から外部直流電源２１に帰還させるというものである。すなわち、近距離加入者のオフフック時に、近距離加入者に流れる電流Ｉｓをスイッチング素子１５でスイッチングし、トランス１６、ダイオード１７、第２のフィルタ１８を使用して、電流Ｉｓが、直流電圧可変型帰還ＤＣ−ＤＣコンバータ電源１９で消費される電力を外部直流電源２１に、−Ｉｐとして帰還させている。
【００４５】
上記した構成により、本実施形態によれば、低消費電力、低電源容量の近距離加入者給電用電源を提供できる。
【００４６】
なお、上記の特許文献、非特許文献の各開示を、本書に引用をもって繰り込むものとする。本発明の全開示（請求の範囲を含む）の枠内において、さらにその基本的技術思想に基づいて、実施形態ないし実施例の変更・調整が可能である。また、本発明の請求の範囲の枠内において種々の開示要素の多様な組み合わせないし選択が可能である。すなわち、本発明は、請求の範囲を含む全開示、技術的思想にしたがって当業者であればなし得るであろう各種変形、修正を含むことは勿論である。
【符号の説明】
【００４７】
１  アナログ電話機
２，３  加入者線
４  給電回路
５  給電回路の電源を切替えるスイッチ
６  近距離加入者給電用電源端子
７  遠距離加入者給電用電源端子
８  第１のフィルタ
９  外部直流電源電圧検出回路
１０  入力電圧検出回路
１１  基準電圧（ＶＲＥＦ）
１２  誤差増幅器
１３  ＰＷＭ制御部
１４  駆動回路
１５  スイッチング素子（ＭＯＳＦＥＴ）
１６  トランス
１７  ダイオード
１８  第２のフィルタ
１９  直流電圧可変型帰還ＤＣ−ＤＣコンバータ電源
２０  加入者線インタフェース装置
２１  外部直流電源
２２  ＤＣ−ＤＣコンバータ電源
４１  直流電流供給回路
Ｒ１〜Ｒ６  抵抗
【図１】
2010288127.tif 000013
【図２】
2010288127.tif 000014
【図３】
2010288127.tif 000015